【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
送信装置が一の情報を一乃至複数の受信装置に送信する同報通信システムにおいて，
前記送信装置は，
一の情報を複数の分割情報に分割する情報分割手段，
前記分割情報に当該分割情報を特定する分割特定情報を付加する分割特定情報付加手段，
前記分割特定情報が付加された前記分割情報を同報通信により送信する同報通信手段，
を有し，
前記受信装置は，
前記分割情報を受信する分割情報受信手段，
前記分割情報から前記分割特定情報を抽出する分割特定情報抽出手段，
前記一の情報について，前記分割特定情報を用いて前記分割情報の受信状況を判断する分割情報受信状況判断手段，
前記受信状況に基づき，前記分割情報のそれぞれを取得したか否かを示す情報として当該分割情報毎にビットの値を用いて表した受信状況情報を有する受信状況報告情報を生成する受信状況報告情報生成手段，
前記受信状況報告情報を同報通信により送信する受信状況報告情報送信手段，
を有し，
前記送信装置は，
前記受信状況報告情報を受信する受信状況報告情報受信手段，
前記受信状況報告情報から前記受信状況情報を抽出する受信状況情報抽出手段，
前記受信状況情報の値を前記分割情報毎に論理演算することによって，前記受信装置のそれぞれについて前記分割情報の前記受信状況を判断する判断手段，
いずれかの前記受信装置が受信していないと判断した前記分割情報を同報通信により送信する再送信手段，
を有すること，
を特徴とする同報通信システム。
【請求項２】
請求項１にかかる同報通信システムにおいて，
前記判断手段は，さらに，
前記各受信装置から取得した前記受信状況情報に基づいて，受信していない前記受信装置が多いと判断した前記分割情報が優先的に送信されるよう順位付けを行うこと，
を特徴とする同報通信システム。
【請求項３】
請求項１または請求項２にかかる同報通信システムにおいて，
前記受信装置は，さらに，
前記受信状況報告情報を受信する受信状況報告情報受信手段，
前記受信状況報告情報から前記受信状況情報を抽出する受信状況情報抽出手段，
を有し，
前記受信状況報告情報生成手段は，さらに，
前記受信状況情報に基づき，他の前記受信装置において取得していない前記分割情報については，自らの受信状況において取得したとすること，
を特徴とする同報通信システム。
【請求項４】
請求項１または請求項２にかかる同報通信システムにおいて，
前記受信装置は，さらに，
前記受信状況報告情報を受信する受信状況報告情報受信手段，
前記受信状況報告情報から前記受信状況情報を抽出する受信状況情報抽出手段，
前記受信状況情報に基づき，自らが取得している前記分割情報であって，いずれかの前記受信装置が受信していないと判断した前記分割情報を同報通信により送信する再送信手段，
を有すること，
を特徴とする同報通信システム。
【請求項５】
一の情報が複数に分割された分割情報を受信する同報通信装置であって，
前記分割情報を特定する分割特定情報が付加された分割情報を受信する分割情報受信手段，
前記分割情報から前記分割特定情報を抽出する分割特定情報抽出手段，
前記一の情報について，前記分割特定情報を用いて前記分割情報の受信状況を判断する分割情報受信状況判断手段，
前記受信状況に基づき，前記分割情報のそれぞれを取得したか否かを示す情報として当該分割情報毎にビットの値を用いて表した受信状況情報を有する受信状況報告情報を生成する第１の受信状況報告情報生成手段，
前記受信状況報告情報を同報通信により送信する受信状況報告情報送信手段，を有するとともに，
他の同報通信装置からの前記受信状況報告情報を受信する受信状況報告情報受信手段，
前記受信状況報告情報から前記受信状況情報を抽出する受信状況情報抽出手段，
他の前記同報通信装置から取得した前記受信状況情報と，自らの前記受信状況情報の値とを論理演算することによって，前記分割情報の前記受信状況を判断する手段，
他の前記同報通信装置において取得していない前記分割情報については，自らの前記受信状況において取得したとする第２の受信状況報告情報生成手段，
を備えることを特徴とする同報通信装置。
【請求項６】
一の情報が複数に分割された分割情報を送受信する同報通信装置であって，
前記分割情報を特定する分割特定情報が付加された分割情報を受信する分割情報受信手段，
前記分割情報から前記分割特定情報を抽出する分割特定情報抽出手段，
前記一の情報について，前記分割特定情報を用いて前記分割情報の受信状況を判断する分割情報受信状況判断手段，
前記受信状況に基づき，前記分割情報のそれぞれを取得したか否かを示す情報として当該分割情報毎にビットの値を用いて表した受信状況情報を有する受信状況報告情報を生成する受信状況報告情報生成手段，
前記受信状況報告情報を同報通信により送信する受信状況報告情報送信手段，を有するとともに，
他の同報通信装置からの前記受信状況報告情報を受信する受信状況報告情報受信手段，
前記受信状況報告情報から前記受信状況情報を抽出する受信状況情報抽出手段，
前記受信状況報告情報から抽出した前記受信状況情報の値と自らの前記受信状況情報の値とを論理演算することによって，自らが取得している前記分割情報であって，他の前記同報通信装置が受信していないと判断した前記分割情報を同報通信により送信する再送信手段，
を備えることを特徴とする同報通信装置。
【請求項７】
一の同報通信装置が一乃至複数の他の同報通信装置に情報を送信する同報通信システムにおける同報通信装置であって，
前記情報に関して前記他の同報通信装置の受信状況を示す受信状況報告情報を受信する受信状況報告情報受信手段，
前記受信状況報告情報から，他の同報通信装置において一の情報が複数に分割された分割情報のそれぞれを取得したか否かを示す情報として当該分割情報毎にビットの値を用いて表した受信状況情報を抽出する受信状況情報抽出手段，
複数の前記他の同報通信装置から取得した前記受信状況報告情報から抽出した前記受信状況情報の値を前記分割情報毎に論理演算することによって，前記他の同報通信装置のそれぞれについて前記分割情報の受信状況を判断する判断手段，
いずれかの前記他の同報通信装置が受信していないと判断した前記分割情報を同報通信により送信する再送信手段，
を備えることを特徴とする同報通信装置。
【請求項８】
請求項７にかかる同報通信装置において，
前記判断手段は，さらに，
前記各他の同報通信装置から取得した前記受信状況情報に基づき，受信していない前記同報通信装置が多いと判断した前記分割情報が優先的に送信されるよう順位付けを行うこと，
を特徴とする同報通信装置。
【手続補正２】
【補正対象書類名】明細書
【補正対象項目名】０００４
【補正方法】変更
【補正の内容】
【０００４】
本発明にかかる同報通信システムは，送信装置が一の情報を一乃至複数の受信装置に送信する同報通信システムにおいて，  送信装置は，一の情報を複数の分割情報に分割する情報分割手段，分割情報に当該分割情報を特定する分割特定情報を付加する分割特定情報付加手段，分割特定情報が付加された分割情報を同報通信により送信する同報通信手段，を有し，受信装置は，分割情報を受信する分割情報受信手段，分割情報から分割特定情報を抽出する分割特定情報抽出手段，一の情報について，分割特定情報を用いて分割情報の受信状況を判断する分割情報受信状況判断手段，受信状況に基づき，分割情報のそれぞれを取得したか否かを示す情報として当該分割情報毎にビットの値を用いて表した受信状況情報を有する受信状況報告情報を生成する受信状況報告情報生成手段，受信状況報告情報を同報通信により送信する受信状況報告情報送信手段，を有し，送信装置は，受信状況報告情報を受信する受信状況報告情報受信手段，受信状況報告情報から受信状況情報を抽出する受信状況情報抽出手段，受信状況情報の値を分割情報毎に論理演算することによって，受信装置のそれぞれについて分割情報の受信状況を判断する判断手段，いずれかの受信装置が受信していないと判断した分割情報を同報通信により送信する再送信手段，を有する。
これにより，いずれかの受信装置において受信していないと判断された分割情報を同報通信を介して再送信するので，送信装置は受信装置毎に分割情報の再送信に対応する必要がない。よって，送信装置の処理負担を軽減することができる。
さらに，受信装置は，容易に自らの受信状況を知らせることができ，送信装置は，容易に受信装置のそれぞれについての分割情報の受信状況を判断することができる。
さらに，送信装置は，容易に受信装置のそれぞれについての分割情報の受信状況を判断することができる。
【手続補正３】
【補正対象書類名】明細書
【補正対象項目名】０００５
【補正方法】変更
【補正の内容】
【０００５】
本発明にかかる同報通信システムでは，判断手段は，さらに，各受信装置から取得した受信状況情報に基づいて，受信していない受信装置が多いと判断した分割情報が優先的に送信されるよう順位付けを行う。
これにより，効率的に分割情報を受信装置に送信することができる。
【手続補正４】
【補正対象書類名】明細書
【補正対象項目名】０００６
【補正方法】変更
【補正の内容】
【０００６】
本発明にかかる同報通信システムでは，受信装置は，さらに，受信状況報告情報を受信する受信状況報告情報受信手段，受信状況報告情報から受信状況情報を抽出する受信状況情報抽出手段，を有し，受信状況報告情報生成手段は，さらに，受信状況情報に基づき，他の受信装置において取得していない分割情報については，自らの受信状況において取得したとする。  
これにより，受信装置は他の受信装置において再送信を要求した分割情報については，自らは再送信を要求しないので，送信装置は，再送信する分割情報を軽減することができる。
【手続補正５】
【補正対象書類名】明細書
【補正対象項目名】０００７
【補正方法】変更
【補正の内容】
【０００７】
本発明にかかる同報通信システムでは，受信装置は，さらに，受信状況報告情報を受信する受信状況報告情報受信手段，受信状況報告情報から受信状況情報を抽出する受信状況情報抽出手段，  受信状況情報に基づき，自らが取得している分割情報であって，いずれかの受信装置が受信していないと判断した分割情報を同報通信により送信する再送信手段，を有する。
これにより，受信装置は，他の受信装置が受信していない分割情報であって，自らが受信している分割情報を送信することができる。
【手続補正６】
【補正対象書類名】明細書
【補正対象項目名】０００８
【補正方法】変更
【補正の内容】
【０００８】
本発明にかかる同報通信装置は，一の情報が複数に分割された分割情報を受信する同報通信装置であって，分割情報を特定する分割特定情報が付加された分割情報を受信する分割情報受信手段，分割情報から分割特定情報を抽出する分割特定情報抽出手段，一の情報について，分割特定情報を用いて分割情報の受信状況を判断する分割情報受信状況判断手段，受信状況に基づき，分割情報のそれぞれを取得したか否かを示す情報として当該分割情報毎にビットの値を用いて表した受信状況情報を有する受信状況報告情報を生成する第１の受信状況報告情報生成手段，受信状況報告情報を同報通信により送信する受信状況報告情報送信手段，を有するとともに，他の同報通信装置からの受信状況報告情報を受信する受信状況報告情報受信手段，受信状況報告情報から受信状況情報を抽出する受信状況情報抽出手段，他の同報通信装置から取得した受信状況情報と，自らの受信状況情報の値とを論理演算することによって，分割情報の受信状況を判断する手段，他の同報通信装置において取得していない分割情報については，自らの受信状況において取得したとする第２の受信状況報告情報生成手段，を備える。
これにより，自らの分割情報の受信状況を他の同報通信装置に同報通信を介して送信することができる。
さらに，自らの分割情報の受信状況を簡単に表すことができる。
さらに，他の通信装置の受信状況も考慮して上で，判断した自らの受信状況を送信することができる。
さらに，自らが再送信を要求しない分割情報を容易に判断することができる。
【手続補正７】
【補正対象書類名】明細書
【補正対象項目名】０００９
【補正方法】変更
【補正の内容】
【０００９】
本発明にかかる同報通信装置は，一の情報が複数に分割された分割情報を送受信する同報通信装置であって，分割情報を特定する分割特定情報が付加された分割情報を受信する分割情報受信手段，分割情報から分割特定情報を抽出する分割特定情報抽出手段，一の情報について，分割特定情報を用いて分割情報の受信状況を判断する分割情報受信状況判断手段，受信状況に基づき，分割情報のそれぞれを取得したか否かを示す情報として当該分割情報毎にビットの値を用いて表した受信状況情報を有する受信状況報告情報を生成する受信状況報告情報生成手段，受信状況報告情報を同報通信により送信する受信状況報告情報送信手段，を有するとともに，他の同報通信装置からの受信状況報告情報を受信する受信状況報告情報受信手段，受信状況報告情報から受信状況情報を抽出する受信状況情報抽出手段，受信状況報告情報から抽出した受信状況情報の値と自らの受信状況情報の値とを論理演算することによって，自らが取得している分割情報であって，他の同報通信装置が受信していないと判断した分割情報を同報通信により送信する再送信手段，を備える。
これにより，他の同報通信装置が受信していない分割情報であって，自らが受信している分割情報を送信することができる。
さらに，他の同報通信装置が受信していない分割情報であって，自らが受信している分割情報を容易に判断することができる。
【手続補正８】
【補正対象書類名】明細書
【補正対象項目名】００１０
【補正方法】変更
【補正の内容】
【００１０】
本発明にかかる同報通信装置は，一の同報通信装置が一乃至複数の他の同報通信装置に情報を送信する同報通信システムにおける同報通信装置であって，情報に関して他の同報通信装置の受信状況を示す受信状況報告情報を受信する受信状況報告情報受信手段，受信状況報告情報から，他の同報通信装置において一の情報が複数に分割された分割情報のそれぞれを取得したか否かを示す情報として当該分割情報毎にビットの値を用いて表した受信状況情報を抽出する受信状況情報抽出手段，複数の他の同報通信装置から取得した受信状況報告情報から抽出した受信状況情報の値を分割情報毎に論理演算することによって，他の同報通信装置のそれぞれについて分割情報の受信状況を判断する判断手段，いずれかの他の同報通信装置が受信していないと判断した分割情報を同報通信により送信する再送信手段，を備える。
これにより，容易に同報通信装置のそれぞれについての分割情報の受信状況を判断することができる。
さらに，容易に同報通信装置のそれぞれについての分割情報の受信状況を判断することができる。
さらに，送信装置は，容易に受信装置のそれぞれについての分割情報の受信状況を判断することができる。
【手続補正９】
【補正対象書類名】明細書
【補正対象項目名】００１１
【補正方法】変更
【補正の内容】
【００１１】
本発明にかかる同報通信装置では，判断手段は，さらに，各他の同報通信装置から取得した受信状況情報に基づき，受信していない同報通信装置が多いと判断した分割情報が優先的に送信されるよう順位付けを行う。  
これにより，効率的に分割情報を受信装置に送信することができる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】